(57)【特許請求の範囲】
【請求項１】
略四辺形の底板部と、前記底板部の前方に連接した前板部と、前記底板部の後方に連接した後板部と、前記底板部の右方に連接した右側板部と、前記底板部の左方に連接した左側板部とを有する段ボールまたは厚紙で形成されたブランクを折り曲げて形成される梱包箱であって、
前記ブランクは、
前記右側板部の前方に連接する右前方フラップと、
前記右側板部の後方に連接する右後方フラップと、
前記左側板部の前方に連接する左前方フラップと、
前記左側板部の後方に連接する左後方フラップと、
前記前板部を介して前記底板部と連接する第１天板部と、
前記後板部を介して前記底板部と連接し前記底板部と略同一形状を有する第２天板部と、
前記第２天板部における前記後板部と相対する側に連接する第２天板前側フラップと、
前記右前方フラップと前記左前方フラップとを連結する前方フラップ連結手段と、
前記右後方フラップと前記左後方フラップとを連結する後方フラップ連結手段と、
前記第１天板部と前記第２天板部とを連結するために前記第１天板部に形成された天板係止爪および前記第２天板部に形成された天板係止スリットとを有し、
さらに、前記前板部側に向け折り曲げられた前記第２天板部の前記天板係止スリットにおける、前記第２天板前側フラップの側の近傍に、前記第１天板部を折り曲げるだけで前記第１天板部の前記天板係止爪の先端を位置づけることができるように、
前記前方フラップ連結手段で連結された前記右前方フラップおよび前記左前方フラップの外側前面と接するように折り曲げられた前記前板部の、前記第１天板部側の略二分の一の領域を反らせ且つ前記右前方フラップおよび前記左前方フラップから離すことができるように、前記前板部を前記右側板部および前記左側板部と連結するための、
前記底板部と前記第１天板部との略中間となる部位において、前記前板部および前記右側板部の何れか一方に形成された右前方側部係止舌片および他方に形成された右前方側部係止孔を有する右前方側部連結手段、および前記底板部と前記第１天板部との略中間となる部位において、前記前板部および前記左側板部の何れか一方に形成された左前方側部係止舌片および他方に形成された左前方側部係止孔を有する左前方側部連結手段と、
また、前記後方フラップ連結手段で連結された前記右後方フラップおよび前記左後方フラップの外側後面と接するように折り曲げられた前記後板部の、前記第２天板部側の略二分の一の領域を反らせ且つ前記右後方フラップおよび前記左後方フラップから離すことができるように、前記後板部を前記右側板部および前記左側板部と連結するための、
前記底板部と前記第２天板部との略中間となる部位において、前記後板部および前記右側板部の何れか一方に形成された右後方側部係止舌片および他方に形成された右後方側部係止孔を有する右後方側部連結手段、および前記底板部と前記第２天板部との略中間となる部位において、前記後板部および前記左側板部の何れか一方に形成された左後方側部係止舌片および他方に形成された左後方側部係止孔を有する左後方側部連結手段とを有し、
さらにまた、前記天板係止爪を前記天板係止スリットに係止して連結された前記第１天板部および前記第２天板部によって閉止された該梱包箱を開封するための、
前記前板部と前記底板部との境界近傍から前記前板部の右辺部における前記右前方側部係止舌片または前記右前方側部係止孔と前記第１天板部との間の部位にかけて形成された第１引裂き線と、
前記前板部と前記底板部との境界近傍から前記前板部の左辺部における前記左前方側部係止舌片または前記左前方側部係止孔と前記第１天板部との間の部位にかけて形成された第２引裂き線と、
前記第１引裂き線と前記第２引裂き線との間で且つ前記前板部と前記底板部との境界線上の中央部近傍に配設された引裂き始点部と、
を有することを特徴とする梱包箱。
【請求項２】
底板部前辺となる前記底板部と前記前板部との境界と、底板部後辺となる前記底板部と前記後板部との境界との間隔は、第２天板部前辺となる前記第２天板部と前記第２天板前側フラップとの境界と、第２天板部後辺となる前記第２天板部の前記後板部との境界との間隔よりも若干長く、
前記ブランクを折り曲げて該梱包箱を形成したときに、前記第２天板前側フラップは、前記前方フラップ連結手段で連結された前記右前方フラップおよび前記左前方フラップの内側に略接して位置づけられることを特徴とする請求項１に記載の梱包箱。
【請求項３】
請求項１または２に記載の梱包箱において、
前記第２天板部はさらに開封手掛け孔を有することを特徴とする梱包箱。
【請求項４】
請求項１ないし３の何れかに記載の梱包箱において、さらに前記右側板部、前記左側板部、前記前板部、前記後板部のすべて、または少なくとも１つが通気孔を有することを特徴とする梱包箱。
【請求項５】
請求項４に記載の梱包箱において、前記前板部および前記後板部が前記通気孔を有する場合には、前記右前方フラップ、前記右後方フラップ、前記左前方フラップおよび前記左後方フラップのすべてまたは何れかが、さらにフラップ通気孔を有することを特徴とする梱包箱。
【請求項６】
請求項１ないし５の何れかに記載の梱包箱において、
前記ブランクは、前記右側板部を介して前記底板部と連接する右内側フラップと、前記左側板部を介して前記底板部と連接する左内側フラップとを、さらに有することを特徴とする梱包箱。
【請求項７】
請求項１ないし６の何れかに記載の梱包箱において、
前記ブランクはさらに、前記底板部と前記前板部との境界および前記底板部と前記後板部との境界の双方または一方に設けられた底板側積重ね部と、
前記第１天板部と前記前板部との境界である第１天板部前辺および前記第２天板部の前記後板部との境界である第２天板部後辺の双方または一方に設けられた天板側積重ね部とを有し、
前記底板部と前記前板部との境界に前記底板側積重ね部が設けられている場合には、前記底板側積重ね部および前記天板側積重ね部が前記前板部を挟んで対称に配設されており、
前記底板部と前記後板部との境界に前記底板側積重ね部が設けられている場合には、前記底板側積重ね部および前記天板側積重ね部が前記後板部を挟んで対称に配設されていることを特徴とする梱包箱。
【請求項８】
前記底板側積重ね部は積重ね爪を有し、前記天板側積重ね部は積重ねスリットを有することを特徴とする請求項７に記載の梱包箱。
【発明の詳細な説明】
【技術分野】
【０００１】
本発明は、ブランクを折り曲げるだけで容易に梱包箱を形成でき、開梱も容易であり、開梱後においても箱として物品の保管等に利用することができる梱包箱に関するものである。
【背景技術】
【０００２】
種々の物品を配送または保管等するための梱包箱は、４つの側面（２つの端面および２つの側面）、天板部（天面部）および底板部（底面部）となる各板部を折り目線に従って折ることで、形成されるものが一般的である。こうした梱包箱は、少なくとも４つの側面の一部を糊づけ等するとともに、底板部および天板部を構成するフラップをテープで貼着して、またはホッチキスで綴じるなどして形成される。
【０００３】
例えば特許文献１および２が開示する梱包箱は、側面の一部を糊づけなどするとともに、梱包箱の底部（上蓋）をなす２枚のフラップをテープで貼着しなければならず、組立て時および物品収容後における閉止において、糊づけやテープの貼着作業（またはホッチキス綴じ）が必要となる。さらに開梱に際し、ナイフ等を用いてテープを剥がす作業および工具を用いてホッチキス綴じ部を解除する作業等が必要となる。したがって、組立て時、物品収容時および開梱時において、ブランク以外の材料費、テープ貼着等の煩雑な作業が生じてしまう。
【０００４】
加えてこれら梱包箱は、箱体の２つの端面および２つの側面のすべてが１枚構成だから（例えば側面等が１枚の段ボールで構成されている）、また天板部および底板部が両開きだから、梱包箱を積重ねた場合の強度に改善の余地がある。そこで強度を高めるため段ボールを厚くすると、ブランクの折り曲げは難しくなり、材料費は上昇し、梱包箱の自重も増加する。
【０００５】
また梱包箱は、開梱後において、収容されていた物品等を保管するための箱として再利用されることが多い。こうした場合には、他の物品が紛れ込まないようにするため上蓋を容易に閉じることができ（但しテープ貼着等が不要であること）、あるいは箱を積重ねるなどのため強度が求められる。しかし、特許文献１および２が開示する梱包箱は上蓋が両開きだから、半開きになって他の物品が紛れ込むこともあり、また積重ねた場合に上蓋部が凹むなどの問題を生じ得る。
【０００６】
これに対し、特許文献３が開示する梱包箱は、ブランクを折り曲げるだけで簡単に形成することができ、また道具を用いることなく手で簡単に開梱することができ、さらに梱包箱として再利用することもできる。しかもこの梱包箱は、箱体の４つの側面のうち面積の広い２つの側面が二重構造となっているから、また天板部および底板部が１枚構成となっているから、軽量で優れた強度を有している。
【０００７】
またこの梱包箱は、２つの天板部（前天板部および後天板部）を有しており、箱体を後天板部で塞いだのち、後天板部の閉止スリットに前天板部の閉止爪を挿入することで梱包箱を容易に閉止することができる。このとき前天板部の閉止爪は後天板部に沿って挿入されるので収容物と干渉せず、天板部近傍まで収容物を収容できる（梱包箱の収容効率を高めることができる。）。
【０００８】
しかしこの梱包箱は、前側の表に位置づけられる左右のフラップは左右側板部と連接するが底板部とは連接していないため（特許文献３の図７、図８等）、再利用する場合には、これら左右のフラップが意図せず開くことのないようにテープを貼着するなどしなければならない。
【０００９】
また特許文献１〜３の梱包箱は、何れも収容物の秘匿性が高いものだが、通気性を必要とする収容物（例えば葉野菜等）もあり、積載作業の省力化のために積重ねが容易であることを求められることがある。すなわち通気性に優れた、あるいは積重ねが容易な梱包箱が求められることもある。
【先行技術文献】
【特許文献】
【００１０】
【特許文献１】特開２０００−１５３８２４号公報
【特許文献２】特開２００４−１６８３５４号公報
【特許文献３】特許第５４２００８９号公報
【発明の概要】
【発明が解決しようとする課題】
【００１１】
そこで本発明は、ブランクを折り曲げるだけで強度の優れた梱包箱を容易に形成でき、道具を必要とせず容易に梱包箱を開梱でき、さらに開梱した後においても、テープ等を用いることなく有底箱体の形状を維持でき、蓋部を容易に閉じることができ、また充分な強度を有して物品の保管等に再利用でき、好ましくは、通気性に優れ、あるいは容易に積重ねることができる梱包箱の実現を課題とした。
【課題を解決するための手段】
【００１２】
上記課題を解決するため本発明に係る梱包箱のブランクは、長方形状の底板部、底板部の前方に連接した前板部、底板部の後方に連接した後板部、底板部の右方に連接した右側板部、および底板部の左方に連接した左側板部を有している。ブランクは例えば段ボール等で形成され、底板部に対し前板部、後板部、右側板部および左側板部をそれぞれ同一方向に折り曲げることで、容易に該梱包箱を形成することができる。
【００１３】
ブランクは、底板部に対し右側板部および左側板部をそれぞれ同一方向に折り曲げたときに、右側板部の前方に連接した右前方フラップと、左側板部の前方に連接した左前方フラップとを連結するための前方フラップ連結手段を有している。またブランクは、同様に右後方フラップおよび左後方フラップを連結するための後方フラップ連結手段を有している。
【００１４】
こうしてブランクの右側板部、左側板部、右前方フラップ、左前方フラップ、右後方フラップおよび左後方フラップを折り曲げ連結するだけで、天板部が開口した有底箱体を形成できる。こうして形成された有底箱体内部は、その内部に物品を収容する際、天板部を形成するフラップで開口部が遮られることがなく、物品を容易に収容できる。また上記有底箱体は、底板部が一枚で構成されているから、収容物を支えるための充分な強度を有する。
【００１５】
またブランクは、前板部を右側板部等と同方向に折り曲げたときに前板部を右側板部および左側板部に連結するための左右前方側部連結手段、および後板部を右側板部等と同方向に折り曲げたときに後板部を右側板部および左側板部に連結するための左右後方側部連結手段を有している。
【００１６】
したがって、有底箱体に物品を収容したのちに、ブランクの前板部および後板部を折り曲げて右側板部および左側板部に連結するだけで、有底箱体の前方側部および後方側部を二重構造の強度に優れたもの（積重ねに耐えるもの）とすることができる。
【００１７】
ブランクの前板部および後板部を右側板部および左側板部に連結すると、第１天板部は前板部の上方に位置づけられ、また第２天板部は後板部の上方に位置づけられる。その後、底板部と略同一形状を有する第２天板部と、この第２天板部に連接する第２天板前側フラップを折り曲げたうえで、第２天板前側フラップを前板部、右前方フラップおよび左前方フラップの内側（有底箱体の内側）に接するように位置づけることによって有底箱体を閉止できる。さらに第１天板部を折り曲げて第２天板部の上から（表側から）天板部連結手段で第１天板部および第２天板部を連結するだけで天板部を二重に塞ぐこと（該梱包箱を閉止すること）ができる。
【００１８】
ここで底板部と略同一形状を有する第２天板部は有底箱体の一枚構成の蓋部となり、第２天板前側フラップは、左右前方フラップの内側に接して、第２天板部の蓋部としての機能および強度を高める。
【００１９】
こうして形成された該梱包箱では、ブランクは、底板部と前板部との境界線近傍と、前板部の右辺部との間に形成された（前板部に形成された）第１引裂き線と、底板部と前板部との境界線近傍と、前板部の左辺部との間に形成された（前板部に形成された）第２引裂き線とを有している。
【００２０】
該梱包箱を開梱する場合には、先ず第１および第２引裂き線を手で引裂くことで、前板部を第１天板部と連接した部分と、底板部と連接する部分とに分離する。次に、有底箱体を塞いでいる第２天板部を手で開くことで開梱が完了する。
【００２１】
ここで、第１引裂き線の引裂き終点は、右前方側部連結手段よりも第１天板前部に近い部位に接続しており、また第２引裂き線の引裂き終点は、左前方側部連結手段よりも第１天板前部に近い部位に接続している。したがって底板部と連接する前板部の部分は、左右前方側部連結手段で左右側板部と連結した状態で、左右前方フラップを外側から規制するから、テープ等を用いることなく開梱後の有底箱体の形状を維持できる。
【００２２】
しかも、開梱後においても該梱包箱は、前板部側は連結した左右前方フラップの二重構造であり、後板部側は左右後方フラップおよび後板部の三重構造であり、底板部は前板部、後板部、右側板部および左側板部と連接した一枚構成であるから、強度に優れている。
【００２３】
第２天板部の形状と底板部の形状との間には次の関係がある。すなわち底板部前辺となる底板部と前板部との境界と、底板部後辺となる底板部と後板部との境界との間隔は、第２天板部前辺となる第２天板部と第２天板前側フラップとの境界と、第２天板部後辺となる第２天板部の後板部との境界との間隔よりも若干長い。したがって、ブランクを折り曲げて該梱包箱を形成したときに、第２天板前側フラップは連結された左右前方フラップの内側に略接して位置づけられる。
【００２４】
第２天板部に開封手掛け孔を設けてもよい。そうすれば開封手掛け孔に指を挿入するなどして、該箱体の形成時および開梱後において有底箱体の蓋部の容易に開閉することができる。
【００２５】
また第１引裂き線の始点と第２引裂き線の始点との間に、さらに引裂き始点部を設けてもよい。そうすれば引裂き始点部に指を挿入するなどして、前板部を底板部と連接する部分および第１天板部と連接した部分とに容易に分離することができる。
【００２６】
ブランクが有する前方フラップ連結手段は、右前方フラップおよび左前方フラップの一方に形成された前方係止舌片、および他方に形成された前方係止孔を有することで、前方係止舌片を前方係止孔に向け僅かに折り曲げて両者を係合することができる。後方フラップ連結手段についても同様である。
【００２７】
そしてブランクが有する右前方側部連結手段は、前板部および右側板部の何れか一方に形成された右前方側部係止舌片、および他方に形成された右前方側部係止孔を有することで、右前方側部係止舌片を右前方側部係止孔に向け僅かに折り曲げることで両者を係合することができる。左前方側部連結手段についても同様である。もちろん左右後方側部連結手段についても同様である。
【００２８】
ここで前方係止舌片、後方係止舌片、左右前方側部係止舌片および左右後方側部係止舌片は、何れも係止孔に向け僅かに折り曲げられるものだから、該梱包箱内部（箱体内部）の収容物と干渉せず、該梱包箱内部にデッドスペースを生じない。
【００２９】
またブランクの天板部連結手段は、第１天板部および第２天板部の一方に形成された天板係止爪および他方に形成された天板係止スリットを有することで、有底箱体を塞いだ状態の第２天板部の表面を、第１天板部で覆うようにして、第２天板部の天板係止スリットに第１天板部の天板係止爪を挿入することができる。こうして第１天板部と第２天板部とを連結すれば、連結の前後を通じて第１天板部の天板係止爪と第２天板部とを略平行に位置づけることができるから、天板係止爪も、該梱包箱内部（箱体内部）の収容物と干渉せず、該梱包箱内部にデッドスペースを生じない。
【００３０】
左右前方側部連結手段が有する右前方側部係止舌片（左前方側部係止舌片）または右前方側部係止孔（左前方側部係止孔）を、前板部において第１天板部と底板部との間の部位（例えば第１天板部と底板部との中間）に設けてもよい。左右前方側部連結手段が上記のように形成されていれば、発明を実施するための形態において説明するように、天板部連結手段の連結作業（または第２天板部の天板係止スリットに第２天板部の天板係止爪を挿入する作業）はさらに容易となり、天板係止爪と収容物との干渉もさらに少なくなる。
【００３１】
右側板部、左側板部、前板部および後板部のすべて、または少なくとも１つに通気孔を設けることで、該梱包箱の通気性を実現することができる。
【００３２】
前板部および後板部が通気孔を有する場合には、右前方フラップ、右後方フラップ、左前方フラップおよび左後方フラップもフラップ通気孔を有している。良好な通気性を得るためには、右前方フラップおよび左前方フラップの通気孔は前板部の通気孔とできるだけ広い範囲で連通すること（重なること）が好ましく、右後方フラップおよび左後方フラップの通気孔と後板部の通気孔との位置関係も同様である。
【００３３】
ブランクは、右側板部を介して底板部と連接する右内側フラップ、および左側板部を介して底板部と連接する左内側フラップを有していてもよい。第１天板部および第２天板部による該梱包箱の閉止に先だって、左右内側フラップを開口部側に折り曲げておけば、該梱包箱を閉止したときに、左右側板と第２天板部との間に生じる隙間を左右内側フラップで塞ぐことができる。こうして折り曲げられた左右内側フラップは、左右側板の開口部側の強度を増し、例えば積重ねに対する強度を確保する。
【００３４】
該梱包箱のブランクは、底板部前辺および底板部後辺の双方または一方に設けられた底板側積重ね部と、第１天板部と前板部との境界領域である第１天板部前辺および第２天板部後辺の双方または一方に設けられた天板側積重ね部とを有していてもよい。
【００３５】
ここで前板部側に設けられた底板側積重ね部および天板側積重ね部は、前板部を挟んで対称に配設され、後板部側においても同様に配設される。したがって該梱包箱を２つ積重ねようとするときに、下側の該梱包箱の天板側積重ね部に上側の該梱包箱の底板側積重ね部を係合等することで、下側の該梱包箱の第１天板部前辺と上側の該梱包箱の底板部前辺とを重ねることができ、また下側の該梱包箱の第２天板部後辺と上側の該梱包箱の底板部後辺とを重ねることができる。こうして該梱包箱は、ずれを生じることなく、且つ容易に複数の該梱包箱を積重ねることができる。
【００３６】
底板側積重ね部を爪部（積重ね爪部）とし、天板側積重ね部をスリット部（積重ねスリット部）としてもよい。この場合において複数の該梱包箱を積重ねるときには、下側の該梱包箱の積重ねスリットに上側の該梱包箱の積重ね爪を挿入するようにして、底板側積重ね部と天板側積重ね部とを係合すればよい。このように構成された底板側積重ね部は、収容物に付着等した水分が滴下したときには、この滴下した水分を外部へと排出することができる。
【発明の効果】
【００３７】
上記構成を有する本発明に係る梱包箱は、ブランクを折り曲げるだけで強度の優れた梱包箱を容易に形成でき、道具を必要とせず容易に梱包箱を開梱できることはもとより、優れた通気性と、積重ねの容易さを実現することも可能である。
【００３８】
また上記構成を有する本発明に係る梱包箱は、開梱した後においても、テープ等を用いることなく有底箱体の形状を維持でき、蓋部を容易に閉じることができ、充分な強度を有して物品の保管等に再利用できる。
【図面の簡単な説明】
【００３９】
【図１】図１は、本発明に係る梱包箱の一実施例を形成するためのブランクの平面概略構成を示した図であり、梱包箱の内面側となる面を示したものである。
【図２】図１に示すブランクが有する前方フラップ連結手段の平面概略構成および左右前方側部連結手段を示した図である。
【図３】図１に示すブランクが有する後方フラップ連結手段の平面概略構成および左右後方側部連結手段を示した図である。
【図４】図１に示すブランクが有する天板部連結手段の平面概略構成を示した図であり、図４（ａ）は天板部連結手段が有する天板係止爪を示し、図４（ｂ）は天板部連結手段が有する天板係止スリットを示す。
【図５】図１に示すブランクが有する通気孔、底板側積重ね部および天板側積重ね部の平面概略構成を示した図である。
【図６】図１に示すブランクが有する開梱引裂き部の平面概略構成を示した図である。
【図７】図１に示すブランクの右前方フラップ、右後方フラップ、右側板部等の折り曲げを説明するための図である。
【図８】図１に示すブランクの、左前方フラップと右前方フラップとの係止等について説明するための図である。
【図９】図１に示すブランクを折り曲げて形成する有底箱体を説明するための図である。
【図１０】図１に示すブランクを折り曲げて形成された有底箱体の閉止について説明するための図である。
【図１１】図１に示すブランクを折り曲げて形成された梱包箱の開梱について説明するための図である。
【図１２】図１１に示す開梱された梱包箱の再利用について説明するための図である。
【図１３】図１に示すブランクを折り曲げて形成された梱包箱の積重ねについて説明するための図である。
【図１４】図１に示すブランクを折り曲げて形成された梱包箱を積重ねた状態等について説明するための図である。
【図１５】図１に示すブランクを折り曲げて形成された梱包箱を横並びにした状態等について説明するための図である。
【図１６】図１に示すブランクを折り曲げて形成された梱包箱を縦並びにした状態等について説明するための図である。
【発明を実施するための形態】
【００４０】
以下、図面を参照して本発明にかかる梱包箱について説明する。
【００４１】
＜ブランクの平面構成＞
本発明の一実施例にかかる梱包箱１Ａを、それを形成するためのブランク２Ａとともに説明する。図１に示す平面概略構成を有するブランク２Ａは、何れも長方形状を有する底板部１０、前板部２０、後板部３０、第１天板部４１、第２天板部４２、右側板部５０および左側板部６０を有しており、例えば定尺の段ボール等から裁断されたものである。ここで底板部１０と前板部２０との境界（折り目線）は底板部前辺１０ａ（例えば長さが３９４ｍｍ）をなし、底板部１０と後板部３０との境界（折り目線）は底板部後辺１０ｂをなし、底板部１０と右側板部５０との境界（折り目線）は底板部右辺１０ｃ（例えば長さが２５７ｍｍ）をなし、そして底板部１０と左側板部６０との境界（折り目線）は底板部左辺１０ｄをなしている。
【００４２】
前板部２０を介して底板部１０と連接する第１天板部４１の長さは、底板部右辺１０ｃの長さの二分の一程度（例えば１２７ｍｍ）であり、後板部３０を介して底板部１０と連接する第２天板部４２の長さは、底板部右辺１０ｃの長さより若干短い（例えば２５４ｍｍ）。したがって第２天板部４２は、底板部１０と略同一形状であるが底板部１０より若干小さい。また第２天板部４２は、後板部３０と相対する側に連接する第２天板前側フラップ４３を有している。
【００４３】
＜左右側板部のフラップ＞
右側板部５０は、さらに前方に連接する右前方フラップ５１、後方に連接する右後方フラップ５２および右側に連接する右内側フラップ５３を有している（右内側フラップ５３は右側板部５０を介して底板部１０と連接している。）。同様に、左側板部６０も、前方に連接する左前方フラップ６１、後方に連接する左後方フラップ６２および左側に連接する左内側フラップ６３を有している。右前方フラップ５１、右後方フラップ５２、右内側フラップ５３、左前方フラップ６１、左後方フラップ６２および左内側フラップ６３は何れも略長方形状を有している。
【００４４】
ここで右側板部５０と右前方フラップ５１との境界（折り目線）は右前部縦辺５０ａ（例えば長さが１９８．５ｍｍ）をなし、右側板部５０と右後方フラップ５２との境界（折り目線）は右後部縦辺５０ｂをなし、左側板部６０と左前方フラップ６１との境界（折り目線）は左前部縦辺６０ａをなし、左側板部６０と左後方フラップ６２との境界（折り目線）は左後部縦辺６０ｂをなしている。また右側板部５０と右内側フラップ５３との境界（折り目線）は右側板部上辺５０ｃをなし、左側板部６０と左内側フラップ６３との境界（折り目線）は左側板部上辺６０ｃをなしている。
【００４５】
右前方フラップ５１は、右前部縦辺５０ａと相対する先端部辺５１ａ、前板部２０と相対する側の辺部となる右前部上辺５１ｂおよび前板部２０側の辺部となる右前部底辺５１ｃを有している。同様に右後方フラップ５２は、先端部辺５２ａ、後板部３０と相対する側の辺部となる右後部上辺５２ｂおよび右後部底辺５２ｃを有している。また左前方フラップ６１は、先端部辺６１ａ、前板部２０と相対する側の辺部となる左前上部辺６１ｂおよび左前部底辺６１ｃを有し、左後方フラップ６２は、先端部辺６２ａ、後板部３０と相対する側の辺部となる左後部上辺６２ｂおよび左後部底辺６２ｃを有している。
【００４６】
右前方フラップ５１および左前方フラップ６１の長さは、底板部前辺１０ａの長さの例えば三分の二程度（例えば２６０〜２７０ｍｍ）であり、右後方フラップ５２および左後方フラップ６２の長さも同様である。また右内側フラップ５３および左内側フラップ６３の長さは、底板部前辺１０ａの長さの例えば五分の一程度（例えば８０ｍｍ）である。
【００４７】
＜各天板部＞
第１天板部４１と前板部２０との境界（折り目線）は第１天板部前辺４１ａをなし、そして第２天板部４２と後板部３０との境界（折り目線）は第２天板部後辺４２ａをなしている。第１天板部４１における第１天板部前辺４１ａと相対する辺部は、第１天板部端辺４１ｂとなっている。第２天板部４２における第２天板部後辺４２ａと相対する辺部は、第２天板部前辺４２ｂとなっており、第２天板部前辺４２ｂは第２天板部４２と第２天板前側フラップ４３との境界（折り目線）となっている。
【００４８】
第２天板部前辺４２ｂの中央部から第２天板部４２側には、開封手掛け孔４４が形成されている。開封手掛け孔４４は指を２〜３本挿入できる略長方形状を有し、第２天板部前辺４２ｂと相対する縁部の両端側は丸みを帯びている。
【００４９】
なお本明細書では、ブランク２Ａを折り曲げて梱包箱１Ａを形成したときに、底板部前辺１０ａと平行する方向を幅方向とし、底板部右辺１０ｃと平行する方向を縦方向とし、右前部縦辺５０ａと平行する方向を高さ方向とする。ブランク２Ａは、例えば段ボール、厚紙などの素材で形成できるが、これら素材に限定されない。
【００５０】
＜前方フラップ連結手段＞
図２に示すように、右前方フラップ５１と左前方フラップ６１とを連結する前方フラップ連結手段は、右前方フラップ５１が有する略台形状の前方係止孔５１１および左前方フラップ６１が有する略台形状の前方係止舌片６１１で構成される。
【００５１】
前方係止孔５１１は右前方フラップ５１の長手方向中心線上に対称に形成されている。前方係止孔５１１では、右側板部５０側に位置する底辺縁部５１１ａは、右前方フラップ５１の先端部辺５１ａ側に位置する上辺縁部５１１ｂよりも若干長く、底辺縁部５１１ａの両端側は丸みを帯びている。
【００５２】
前方係止舌片６１１は左前方フラップ６１の長手方向中心線上に対称に形成されており、右側板部６０側に位置する接続辺部６１１ｂだけで左前方フラップ６１と連接している（接続辺部６１１ｂは折り目線でもある。）。前方係止舌片６１１では、接続辺部６１１ｂは左前方フラップ６１の先端部辺６１ａ側に位置する係止先端部辺６１１ａよりも若干短い（係止先端部辺６１１ａの両端側は丸みを帯びている。）。
【００５３】
前方係止舌片６１１の略台形状を画する輪郭は前方係止孔５１１の形状と略合同で、前方係止舌片６１１の接続辺部６１１ｂは前方係止孔５１１の上辺縁部５１１ｂと略同じ長さだが、前方係止舌片６１１の係止先端部辺６１１ａ近傍は、前方係止孔５１１の底辺縁部５１１ａよりも若干幅が広い。
【００５４】
ここで前方係止孔５１１の中央と右前部縦辺５０ａとの間隔は底板部前辺１０ａの長さの略二分の一であり、前方係止舌片６１１の中央と左前部縦辺６０ａとの間隔も底板部前辺１０ａの長さの略二分の一である。
【００５５】
なお前方フラップ連結手段は、右前方フラップ５１と左前方フラップ６１とを連結できるものであれば、上記構成に限定されない。例えば右前方フラップ５１は前方係止孔５１１に替え前方係止舌片を有し、左前方フラップ６１は前方係止舌片６１１に替え前方係止孔を有してもよい。
【００５６】
＜後方フラップ連結手段＞
図３に示すように、右後方フラップ５２と左後方フラップ６２とを連結する後方フラップ連結手段は、右後方フラップ５２が有する略台形状の後方係止孔５２１および左後方フラップ６２が有する略台形状の後方係止舌片６２１で構成される。ここで後方係止孔５２１は前方係止孔５１１と同様に形成されており、また後方係止舌片６２１は前方係止舌片６１１と同様に形成されている。なお後方フラップ連結手段は、前方フラップ連結手段と同様、上記構成に限定されない。
【００５７】
＜左右前方側部連結手段＞
右前方側部連結手段は、図２に示すように前板部２０と連接する略台形状の右前方側部係止舌片２０１および右側板部５０に形成された略台形状の右前方側部係止孔５０１で構成される。右前方側部係止舌片２０１は、定尺の段ボール等からブランク２Ａを裁断する前には右前方フラップ５１に含まれているが、裁断後、前板部２０の前板部右辺２０ｃの中央部において、接続辺部２０１ｂによって前板部２０と連接するように形成される。
【００５８】
右前方側部係止舌片２０１では、接続辺部２０１ｂと相対する係止先端部辺２０１ａは接続辺部２０１ｂよりも若干幅が広い。右前方側部係止孔５０１の上辺縁部５０１ｂは右側板部５０の右前部縦辺５０ａにおける中央部に位置づけられ、底辺縁部５０１ａが上辺縁部５０１ｂと相対している。右前方側部係止孔５０１の底辺縁部５０１ａ近傍は上辺縁部５０１ｂよりも若干幅が広く、底辺縁部５０１ａの両端側は丸みを帯びている。
【００５９】
右前方側部係止舌片２０１の略台形状を画する輪郭は右前方側部係止孔５０１の形状と略合同だが、前方係止舌片６１１および前方係止孔５１１と同様に、右前方側部係止舌片２０１の係止先端部辺２０１ａは右前方側部係止孔５０１の底辺縁部５０１ａよりも若干幅が広い。
【００６０】
左前方側部連結手段も右前方側部連結手段と同様に、前板部２０と連接する左前方側部係止舌片２０２および左側板部６０に形成された左前方側部係止孔６０２で構成される（図２）。左前方側部係止舌片２０２は右前方側部係止舌片２０１と同様に構成され（前板部２０の前板部左辺２０ｄの中央部に連接している）、左前方側部係止孔６０２は右前方側部係止孔５０１と同様に構成されている。
【００６１】
なお左右前方側部連結手段は、前板部２０と右側板部５０とを連結できるものであれば、上記構成に限定されない。例えば右側板部５０（左側板部６０）は右前方側部係止孔５０１（左前方側部係止孔６０２）に替え右前方側部係止舌片（左前方側部係止舌片）を有し、前板部２０は右前方側部係止舌片２０１（左前方側部係止舌片２０２）に替え右前方側部係止孔（左前方側部係止孔）を有していてもよい。
【００６２】
＜後方側部連結手段＞
右後方側部連結手段は、図３に示すように、後板部３０と連接する右後方側部係止舌片３０３および右側板部５０に形成された右後方側部係止孔５０３で構成される。右後方側部係止舌片３０３は、後板部３０において右前方側部係止舌片２０１と同様に構成され、右後方側部係止孔５０３は、右側板部５０の右後部縦辺５０ｂ近傍において右前方側部係止孔５０１と同様に構成されている。
【００６３】
左後方側部連結手段も右後方側部連結手段と同様に、後板部３０と連接する左後方側部係止舌片３０４および左側板部６０に形成された左後方側部係止孔６０４で構成される（図３）。左後方側部係止舌片３０４は右後方側部係止舌片３０３と同様に構成され、左後方側部係止孔６０４は右後方側部係止孔５０３と同様に構成されている。なお左右後方側部連結手段は、左右前方側部連結手段と同様、上記構成に限定されない。
【００６４】
＜天板部連結手段＞
ブランク２Ａにおける天板部連結手段は、第１天板部４１と第２天板部４２とを連結する天板係止爪４１１および天板係止スリット４２１で構成される（連結された第１天板部４１および第２天板部４２は天板部４０を形成する。）。図４（ａ）に示すように、天板係止爪４１１は、第１天板部４１の第１天板部端辺４１ｂの中央部から延出している。天板係止スリット４２１は、図４（ｂ）に示すように、第２天板部４２において、第２天板部後辺４２ａと第２天板部前辺４２ｂとの間に配設されている。
【００６５】
天板係止爪４１１と第１天板部４１の第１天板部前辺４１ａとの間隔は、底板部右辺１０ｃの長さの略二分の一程度であり、天板係止スリット４２１と第２天板部４２の第２天板部後辺４２ａとの間隔も、底板部右辺１０ｃの長さの略二分の一程度である。
【００６６】
天板係止爪４１１は、接続部４１１ｊ、爪本体部４１１ｔ、最大幅部４１１ａ、爪先部４１１ｂ、および切抜き部４１１ｓを有している。これら天板係止爪４１１の構成要素は、何れも第１天板部４１の幅方向においてセンター振り分けされている。
【００６７】
接続部４１１ｊは爪本体部４１１ｔと第１天板部４１との間に介在し、爪本体部４１１ｔは、接続部４１１ｊ近傍が最も幅が広い最大幅部４１１ａとなっており（最大幅部４１１ａの幅は、例えば第１天板部端辺４１ｂの長さの三分の一から二分の一程度となっており）、爪先部４１１ｂに向け幅が狭くなっている。切抜き部４１１ｓは、接続部４１１ｊの中央部分において、第１天板部４１にまたがる細長いスリット形状をなしている。
【００６８】
天板係止スリット４２１は、主切込線部４２１ａ、２つの副切込線部４２１ｂ、２つの切抜き部４２１ｓ、間隙４２１ｓ’および舌部４２１ｔを有している。これら天板係止スリット４２１の構成要素は、何れも第２天板部４２の幅方向でセンター振り分けされている。
【００６９】
主切込線部４２１ａの両端には、第２天板部後辺４２ａから離れる方向に副切込線部４２１ｂが連続して形成されている。主切込線部４２１ａと第２天板部後辺４２ａとの間隔は第１天板部４１の長さと略等しく、第１天板部４１と第２天板部４２とを重ねて梱包箱１を閉止するときに、天板係止爪４１１を主切込線部４２１ａに円滑に挿入することができる。
【００７０】
主切込線部４２１ａの長さは、天板係止爪４１１の最大幅部４１１ａの幅よりも若干短い。したがって天板係止爪４１１を天板係止スリット４２１に容易に挿入できる一方、主切込線部４２１ａは天板係止スリット４２１に挿入された天板係止爪４１１の抜け止となる。
【００７１】
切抜き部４２１ｓは、主切込線部４２１ａから、第２天板部前辺４２ｂ側に向け形成されており、その横幅は天板係止爪４１１の接続部４１１ｊの横幅よりも狭い。切抜き部４２１ｓの中央部には、舌部４２１ｔが主切込線部４２１ａに向け延出し、その先端と主切込線部４２１ａとの間に間隙４２１ｓ’が形成されている。舌部４２１ｔの横幅は天板係止爪４１１の切抜き部４１１ｓの横幅よりも若干狭い。切抜き部４２１ｓの縦幅は天板係止爪４１１の接続部４１１ｊの長さより若干長く、舌部４２１ｔの長さは天板係止爪４１１の接続部４１１ｊの長さと略等しいか若干長い。
【００７２】
したがって、天板係止爪４１１を天板係止スリット４２１に挿入すると、舌部４２１ｔが天板係止爪４１１の切抜き部４１１ｓに係止して、天板係止爪４１１が天板係止スリット４２１から離脱することを防ぐことができる。
【００７３】
＜通気孔＞
図５に示すように、ブランク２Ａでは、前板部２０に例えば２つの前部通気孔２０５が、後板部３０に例えば２つの後部通気孔３０５が、右側板部５０に例えば２つの右側部通気孔５０５が、そして左側板部６０に例えば２つの左側部通気孔６０５が設けられている。さらに右前方フラップ５１に右前フラップ通気孔５１５が、右後方フラップ５２に右後フラップ通気孔５２５が、左前方フラップ６１に左前フラップ通気孔６１５が、そして左後方フラップ６２に左後フラップ通気孔６２５が設けられている。いずれの通気孔も略長方形状をなし、両端部は丸みを帯びている。
【００７４】
前部通気孔２０５および後部通気孔３０５は、長さは前板部２０（後板部３０）の高さの例えば三分の一ないし三分の二程度であり、幅は前板部２０（後板部３０）の幅の例えば二十分の一程度である。
【００７５】
右側部通気孔５０５および左側部通気孔６０５は、長さが右側板部５０（左側板部６０）の高さの例えば三分の一程度であり、幅が底板部右辺１０ｃ（底板部左辺１０ｄ）の例えば十分の一程度である。２つの右側部通気孔５０５および２つの左側部通気孔６０５は、底板部１０を挟んで対称に形成されている。したがって、右側板部５０および左側板部６０を、底板部１０に対し同方向で且つ垂直に折り曲げたときには、２つの右側部通気孔５０５および２つの左側部通気孔６０５は互いに正対する。
【００７６】
右前フラップ通気孔５１５および左前フラップ通気孔６１５は前部通気孔２０５と形状が同じであり、右後フラップ通気孔５２５および左後フラップ通気孔６２５は後部通気孔３０５と形状が同じである。ブランク２Ａを折り曲げて梱包箱１Ａを形成したとき、右前フラップ通気孔５１５および左前フラップ通気孔６１５は前部通気孔２０５と重なる部位に形成されており、また右後フラップ通気孔５２５および左後フラップ通気孔６２５は後部通気孔３０５と重なる部位に形成されている。
【００７７】
なお梱包箱１Ａの内部を外部から遮蔽したい、または通気を妨げたい場合等には、梱包箱に通気孔を設けない。
【００７８】
＜開梱引裂き部＞
図６に示すように、ブランク２Ａは、前板部２０に開梱引裂き部２１０を有し、開梱引裂き部２１０は、第１引裂き線２１１、第２引裂き線２１２および引裂き始点部２１３を有している。引裂き始点部２１３は、ミシン目で形成された第１、第２引き裂き線２１１、２１２を、例えば手で引裂くための引裂き始点部であり、底板部１０の底板部前辺１０ａの中間点近傍から第１天板部４１側に向け略矩形の切込みとして形成されている。開梱引裂き部２１０は、その幅が例えば２〜３本の指先を挿入できる程度のものであり、第１天板部４１側の縁部の両端側は丸みを帯びている。
【００７９】
第１引裂き線２１１の始点２１１ａは、引裂き始点部２１３に配設されている。この引裂き終点２１１ｂは、前板部２０の前板部右辺２０ｃ上に配設されており、この引裂き終点２１１ｂと底板部１０の底板部前辺１０ａとの間には、前板部２０の前板部右辺２０ｃの略中央部に連接するように形成された右前方側部係止舌片２０１が位置づけられている。
【００８０】
第２引裂き線２１２は、前板部２０において第１引裂き線２１１と左右対称に形成されている。第１引裂き線２１１および第２引裂き線２１２と、第１天板部前辺４１ａとの間の領域は主前板部２０ｍとなっており、第１引裂き線２１１と底板部１０の底板部前辺１０ａとの間の領域、および第２引裂き線２１２と底板部１０の底板部前辺１０ａとの間の領域は、それぞれ副前板部２０ｓとなっている。
【００８１】
＜底板側積重ね部および天板側積重ね部＞
図５に示すように、ブランク２Ａは、底板部１０の底板部前辺１０ａ上に配設された２つの底板前側積重ね部１１０、底板部後辺１０ｂ上に配設された２つの底板後側積重ね部１２０、第１天板部４１の第１天板部前辺４１ａ上に配設された２つの天板前側積重ね部４１０、および第２天板部４２の第２天板部後辺４２ａ上に配設された２つの天板後側積重ね部４２０を有している。
【００８２】
ここで２つの底板前側積重ね部１１０は底板部前辺１０ａ上においてセンター振り分けに配設されており、そして２つの底板前側積重ね部１１０および２つの底板後側積重ね部１２０は底板部１０を挟んで対称に配設されている。また２つの底板前側積重ね部１１０および２つの天板前側積重ね部４１０は前板部２０を挟んで対称に配設され、２つの底板後側積重ね部１２０および２つの天板後側積重ね部４２０は後板部３０を挟んで対称に配設されている。
【００８３】
底板前側積重ね部１１０は底板部１０の底板部前辺１０ａから底板部１０の内部側に延出する矩形の積重ね爪１１０ｔ（図５参照）として形成され、底板後側積重ね部１２０は底板部１０の底板部後辺１０ｂから底板部１０の内部側に延出する矩形の積重ね爪１２０ｔとして形成される。積重ね爪１１０ｔは底板部前辺１０ａ上から延出し、積重ね爪１２０ｔは底板部後辺１０ｂ上から延出する。
【００８４】
２つの天板前側積重ね部４１０は、第１天板部４１の第１天板部前辺４１ａ上において、前板部２０および第１天板部４１にかけて形成された長方形状のスリットであり、同様に２つの天板後側積重ね部４２０は、第２天板部４２の第２天板部後辺４２ａ上において形成された長方形状のスリットである。
【００８５】
ブランク２Ａを折り曲げて梱包箱１Ａを形成したとき、右前方フラップ５１の右前部上辺５１ｂは、第１天板部４１の第１天板部前辺４１ａの内側に位置づけられる。このとき天板前側積重ね部４１０の内側に位置づけられる右前方フラップ５１の右前部上辺５１ｂの部位には、右前上辺切込み部５１０が形成されており、天板前側積重ね部４１０のスリットが右前方フラップ５１で塞がれないようになっている。同様に右後方フラップ５２の右後部上辺５２ｂには右後上辺切込み部５２０が形成されており、左前方フラップ６１の左前上部辺６１ｂには左前上辺切込み部６１０が形成されており、左後方フラップ６２の左後部上辺６２ｂには左後上辺切込み部６２０が形成されている。
【００８６】
なお、天板側積重ね部を天板前側積重ね部４１０だけで構成し、また底板側積重ね部を底板前側積重ね部１１０だけで構成してもよい。この場合でも梱包箱１Ａを２つ積重ねるときに、下側の梱包箱１Ａの天板側積重ね部４１０に上側の梱包箱１Ａの底板側積重ね部１１０を係合することで２つの梱包箱１Ａを積重ねることができる。もちろん梱包箱１Ａは、底板側積重ね部および天板側積重ね部を有しなくともよい。
【００８７】
＜手かけ孔＞
ブランク２Ａは、図５に示すように、右側板部５０に配設された右側手かけ孔５０６、および左板部６０に配設された左側手かけ孔６０６が形成されている。右側手かけ孔５０６は、略コ字形状の切込みで画された舌片を有して、右側板部５０の右側板部上辺５０ｃに近い部位に形成されている。舌片は、右側板部上辺５０ｃ側で右側板部５０に連接しており、右側手かけ孔５０６に指や掌を挿入すると折り曲げられて、舌片は指等の広い範囲に接して指や掌を保護する。同様の目的から、コ字形状の切込みは２つの角部が丸みを帯びている。もちろん梱包箱１Ａは手かけ孔を有しなくともよい。
【００８８】
＜梱包箱の組立および物品の収容＞
次に梱包箱１Ａの組立について説明する。
【００８９】
＜右左側板部等の折り曲げ＞
先ず右側板部５０に対し、右前方フラップ５１および右後方フラップ５２を略直角に谷折りする（図７（ａ））。このとき未だ右内側フラップ５３は右側板部５０に対し折り曲げられていない。同様に左側板部６０に対し、左前方フラップ６１および左後方フラップ６２を略直角に谷折りする（図示せず）。さらに右側板部５０および左側板部６０を谷折りして、図７（ｂ）に示すように、右前方フラップ５１を左前方フラップ６１の内側に、そして右後方フラップ５２を左後方フラップ６２の内側に位置づける。
【００９０】
すると図８（ａ）に示すように、左前方フラップ６１の前方係止舌片６１１は右前方フラップ５１の前方係止孔５１１の丁度外側に位置づけられる（図８（ａ）は右前方フラップ５１および左前方フラップ６１を前板部２０の側から見た図である。）。
【００９１】
そして左前方フラップ６１の前方係止舌片６１１を例えば指先で押すと、図８（ｂ）に示すように、前方係止舌片６１１は、接続辺部６１１ｂを折り目線として、係止先端部辺６１１ａ側から右前方フラップ５１の前方係止孔５１１に押し込まれる（図８（ｂ）は、図８（ａ）におけるＡ−Ａ断面を示し、前方係止舌片６１１と前方係止孔５１１とが係止した状態を示す図である。）。
【００９２】
こうして左前方フラップ６１の前方係止舌片６１１が右前方フラップ５１の前方係止孔５１１に押し込まれると、前方係止舌片６１１の係止先端部辺６１１ａは、前方係止孔５１１の底辺縁部５１１ａよりも若干長いので、前方係止舌片６１１は前方係止孔５１１から抜け難い状態となる（こうして右前方フラップ５１と左前方フラップ６１とを容易かつ確実に連結することができる。）。同様にして、右後方フラップ５２が有する後方係止孔５２１に、左後方フラップ６２が有する後方係止舌片６２１を係止することで、右後方フラップ５２と左後方フラップ６２とを容易かつ確実に連結することができる。
【００９３】
すると図７（ｂ）に示すように、底板部１０、右側板部５０、左側板部６０、右前方フラップ５１と左前方フラップ６１、および右後方フラップ５２と左後方フラップ６２で構成される有底箱体３Ａが形成される。ここで前方係止舌片６１１の係止先端部辺６１１ａおよび後方係止舌片６２１の先端部辺６２１ａは、何れも丸みを帯びているから、有底箱体３Ａの内部に収容された物品を傷つけない。また有底箱体３Ａでは、右側板部５０の２つの右側部通気孔５０５と左側板部６０の２つの左側部通気孔６０５とは正対する。
【００９４】
なお右前方フラップ５１を左前方フラップ６１の外側に、そして右後方フラップ５２を左後方フラップ６２の外側に位置づけることもできる。この場合には、左前方フラップ６１の前方係止舌片６１１は、図８（ｃ）に示すように右前方フラップ５１の前方係止孔５１１の内側に位置づけられ、内側から接続辺部６１１ｂを折り目線として係止先端部辺６１１ａ側から右前方フラップ５１の前方係止孔５１１に押し込まれることとなる。右後方フラップ５２および左後方フラップ６２についても同様である。
【００９５】
＜前板部および後ろ板部等の折り曲げ＞
有底箱体３Ａが形成されたのち、前板部２０を右前方フラップ５１および左前方フラップ６１の外側に接するように折り曲げ、また後板部３０を右後方フラップ５２および左後方フラップ６２の外側に接するように折り曲げる。
【００９６】
そして、前板部２０と連接する右前方側部係止舌片２０１を指先で折り曲げて、右側板部５０が有する右前方側部係止孔５０１に押し込む。すると前板部２０と連接する右前方側部係止舌片２０１および右側板部５０の右前方側部係止孔５０１で構成される右前方側部連結手段（図２参照）は、右前方フラップ５１の前方係止孔５１１および左前方フラップ６１の前方係止舌片６１１で構成される前方フラップ連結手段（図８参照）と同様に、容易かつ確実に連結される。
【００９７】
同様に、前板部２０と連接する左前方側部係止舌片２０２および左側板部６０の左前方側部係止孔６０２で構成される左前方側部連結手段（図２参照）も、容易かつ確実に連結され、後板部３０と連接する右後方側部係止舌片３０３および右側板部５０の右後方側部係止孔５０３で構成される右後方側部連結手段（図３参照）も、容易かつ確実に連結され、後板部３０と連接する左後方側部係止舌片３０４および左側板部６０の左後方側部係止孔６０４で構成される左後方側部連結手段（図３参照）も、容易かつ確実に連結される。
【００９８】
すると、図９（ａ）に示すように、有底箱体３Ａにおける右前方フラップ５１および左前方フラップ６１の外側に前板部２０が接するように位置づけられて、また右後方フラップ５２および左後方フラップ６２の外側に後板部３０が接するように位置づけられて有底箱体３Ｂが形成される。したがって有底箱体３Ｂでは、前板部２０側および後板部３０側は二重構造（一部は三重構造）となって強度が増す。また有底箱体３Ｂでは、右前フラップ通気孔５１５および左前フラップ通気孔６１５は前部通気孔２０５と重なり、右後フラップ通気孔５２５および左後フラップ通気孔６２５も後部通気孔３０５と重なる。
【００９９】
ここで右前方側部係止舌片２０１は、その係止先端部辺２０１ａが丸みを帯びているから（左前方側部係止舌片２０２、右後方側部係止舌片３０３および左後方側部係止舌片３０４も同様）、有底箱体３Ｂの内部に収容された物品を傷つけない。
【０１００】
有底箱体３Ｂでは、前板部２０が折り曲げられて、底板部１０の底板部前辺１０ａに形成された底板前側積重ね部１１０では、矩形の積重ね爪１１０ｔが底板部前辺１０ａの下方に向け延出し、また積重ね爪１１０ｔが延出した結果、積重ね爪１１０ｔの近傍に積重ねスリット１１０ｓが形成される（図９（ａ）、（ｂ）等）。また後板部３０が折り曲げられた結果、同様に底板部１０の底板部後辺１０ｂに形成された底板後側積重ね部１２０では、矩形の積重ね爪１２０ｔが底板部後辺１０ｂの下方に向け延出し、また積重ね爪１２０ｔが延出した結果、積重ね爪１２０ｔの近傍に積重ねスリット１２０ｓが形成される。
【０１０１】
＜物品の収容＞
有底箱体３Ａでは、右前方フラップ５１と左前方フラップ６１の上方、および右後方フラップ５２と左後方フラップ６２の上方に立ち上がっているフラップはなく、前右側板部５０から短い右内側フラップ５３が、また左側板部６０からも同様に左内側フラップ６３が、それぞれ略垂直に立ち上がっているだけである（例えば図７（ｂ）参照）。したがって、有底箱体３Ａの内部に物品を容易に収容することができる。
【０１０２】
＜梱包箱の閉止＞
有底箱体３Ａに物品を収容したのち、さらに右前方側部連結手段、左前方側部連結手段、右後方側部連結手段および左後方側部連結手段をそれぞれ連結して有底箱体３Ｂ（図９（ａ））を形成した後、有底箱体３Ｂの開口部３００を閉止する（梱包箱１Ａを閉止する。）。閉止は、第１天板部４１の天板係止爪４１１および第２天板部４２の天板係止スリット４２１からなる天板部連結手段の連結によって行う。
【０１０３】
詳細には、先ず有底箱体３Ｂの開口部３００を塞ぐ方向に右内側フラップ５３および左内側フラップ６３を折り曲げる。次に図１０（ａ）に示すように、第２天板部４２で有底箱体３Ｂの開口部を塞ぐ。このとき第２天板部４２の第２天板前側フラップ４３を折り曲げたうえで、第２天板前側フラップ４３が右前方フラップ５１および左前方フラップ６１の内側に接するようにして有底箱体３Ｂの開口部を塞ぐ。
【０１０４】
次に図１０（ｂ）に示すように、第１天板部４１を第２天板部４２の上方に位置づけるように折り曲げる。このとき前板部２０は、前板部右辺２０ｃの中央部に連接する右前方側部係止舌片２０１で右側板部５０と連結されており、また前板部左辺２０ｄの中央部に連接する左前方側部係止舌片２０２で左側板部６０と連結されている。したがって図１０（ｂ）に示すように、前板部２０の上部側の略二分の一の領域（第１天板部４１側）を、右前方フラップ５１および左前方フラップ６１から若干外側に離間するように、弓なりに反らせることができる。後板部３０の上部側も同様である。
【０１０５】
このように前板部２０の上部側および後板部３０の上部側を弓なりに反らせることで、天板係止爪４１１を折り曲げることなく、天板係止爪４１１の爪先部４１１ｂを天板係止スリット４２１の近傍に位置づけることができる。
【０１０６】
さらに天板係止爪４１１の爪本体部４１１ｔを天板係止スリット４２１の主切込線部４２１ａに挿入すると、爪本体部４１１ｔは、天板係止スリット４２１の副切込線部４２１ｂの近傍領域を押し広げながら主切込線部４２１ａを通過し、天板係止爪４１１の切抜き部４１１ｓは舌部４２１ｔよりも主切込線部４２１ａに寄った部位に位置づけられる。こうして天板係止爪４１１の爪本体部４１１ｔは、第２天板部４２の内側に位置づけられて、図１０（ｃ）に示すように梱包箱１Ａの閉止が完了する。
【０１０７】
すなわち天板係止爪４１１の爪本体部４１１ｔを折り曲げることなく、天板係止爪４１１の爪先部４１１ｂを天板係止スリット４２１の近傍に位置づけたのち、天板係止爪４１１と天板係止スリット４２１とを係止することができるから、天板係止爪４１１は、収容物と干渉することなく梱包箱１Ａを閉止できる。
【０１０８】
このとき副切込線部４２１ｂの近傍領域は弾性でもとに戻ろうとする結果、副切込線部４２１ｂは天板係止爪４１１の爪本体部４１１ｔの抜け止めとして機能し、また天板係止爪４１１の切抜き部４１１ｓに舌部４２１ｔが係止して、爪本体部４１１ｔの抜け止めとして機能する。したがって天板係止爪４１１および天板係止スリット４２１からなる天板部連結手段は、容易に連結できる一方、抜けにくい連結を実現できる。
【０１０９】
梱包箱１Ａにおいては、第１天板部４１および第２天板部４２が折り曲げられた結果、図１０（ｃ）に示すように第１天板部４１の第１天板部前辺４１ａ上では、天板前側積重ね部４１０であるスリットが形成され、第２天板部４２の第２天板部後辺４２ａ上では、天板後側積重ね部４２０であるスリットが形成される。
【０１１０】
このとき第１天板部４１の第１天板部前辺４１ａ近傍では、折り曲げられた第２天板部４２の第２天板前側フラップ４３と右前方フラップ５１および左前方フラップ６１との間に若干の空隙が形成される。したがって、天板前側積重ね部４１０が第２天板部４２とその第２天板前側フラップ４３によって塞がれることはない。
【０１１１】
＜梱包箱における通気性＞
梱包箱１Ａでは、前板部２０は２つの前部通気孔２０５を、後板部３０は２つの後部通気孔３０５を、右側板部５０は２つの右側部通気孔５０５を、そして左側板部６０は２つの左側部通気孔６０５を有している。このように梱包箱１Ａは、４つの側面に８つの通気孔を有して内部と外部との間の通気性を実現する。
【０１１２】
梱包箱１Ａの底板部１０では、２つの底板前側積重ね部１１０にそれぞれ積重ねスリット１１０ｓが形成されており、また２つの底板後側積重ね部１２０にそれぞれ積重ねスリット１２０ｓが形成されている（図９（ｂ））。これら４つのスリットは梱包箱１Ａの底板部１０側における通気性を実現する。梱包箱１Ａの天板部４０では、２つの天板前側積重ね部４１０としてスリットが形成されており、そして２つの天板後側積重ね部４２０としてスリットが形成されている（図１０（ｃ））。これら４つのスリットは梱包箱１Ａの天板側における通気性を実現する。
【０１１３】
また梱包箱１Ａを床などに置いた場合には、底板前側積重ね部１１０の２つの積重ね爪１１０ｔおよび底板後側積重ね部１２０の２つの積重ね爪１２０ｔは、床面と梱包箱１Ａの底板部１０との間に間隙を生じさせる。この間隙の幅（高さ）は４つの舌片の長さに略等しく、梱包箱１Ａの底板部１０の下側において通気性を実現する。
【０１１４】
梱包箱１Ａの底板部１０の積重ねスリット１１０ｓおよび積重ねスリット１２０ｓは、通気性の実現とともに、梱包箱１Ａ内部の湿気や水分の排出を実現する。例えば新鮮な野菜を収容した場合、積重ねスリット１１０ｓおよび積重ねスリット１２０ｓは梱包箱１Ａ内部で結露等した水分等の排出路となる。
【０１１５】
＜梱包箱の開梱について＞
次に梱包箱１Ａの開梱について説明する。梱包作業が完了した梱包箱１Ａ（図１０（ｃ））において、先ず引裂き始点部２１３に指先を挿入し、前板部２０を把持して前板部２０の主前板部２０ｍと、２つの副前板部２０ｓとを切り離すように、第１引裂き線２１１および第２引裂き線２１２を引裂く。そうすると図１１（ａ）に示すように、第１天板部４１の主前板部２０ｍが第１天板部前辺４１ａを軸部として展開される（このとき未だ第２天板部４２は開かない。）。
【０１１６】
さらに第１天板部４１の主前板部２０ｍを開くと、第１天板部４１は天板係止スリット４２１に係止した天板係止爪４１１を軸部として第２天板部４２の上方に展開する。さらに第２天板部４２の開封手掛け孔４４に指を挿入して、図１１（ｂ）に示すように第２天板部４２を開いて、梱包箱１Ａに収容された物品を取出すことができる。このように梱包箱１Ａは道具を用いず容易に開梱でき、物品を容易に取り出すことができる。
【０１１７】
＜梱包箱の再使用について＞
開梱した梱包箱１Ａを再利用する場合には、開梱した梱包箱１Ａ（図１１（ｂ））の第２天板部４２から、第１天板部４１の主前板部２０ｍを取外す。この取外しは、第１天板部４１の天板係止爪４１１を第２天板部４２の天板係止スリット４２１から引き抜くことで行われる。こうして第１天板部４１の主前板部２０ｍを取外したのち、梱包箱１Ａに物品を収容したのち第２天板部４２を閉じる（図１２）。
【０１１８】
第２天板部４２を閉じるときには、第２天板前側フラップ４３を右前方フラップ５１および左前方フラップ６１の内側に位置づける。梱包箱１Ａの再利用においても、第２天板部４２の開封手掛け孔４４に指を挿入して、第２天板部４２を容易に開閉することができる。
【０１１９】
ここで右前方フラップ５１および左前方フラップ６１は、互いに連結した状態に維持されている。また前板部２０の右側の副前板部２０ｓは、右前方側部係止舌片２０１で右側板部５０に形成された右前方側部係止孔５０１と連結して、左前方フラップ６１と連結した右前方フラップ５１を外側から規制している。さらに前板部２０の左側の副前板部２０ｓも、左前方側部係止舌片２０２で左側板部６０に形成された左前方側部係止孔６０２と連結して、右前方フラップ５１と連結した左前方フラップ６１を外側から規制している。
【０１２０】
このように再利用における梱包箱１Ａは、その前板部２０側の側面が右前方フラップ５１、左前方フラップ６１および２つの副前板部２０ｓで構成され、その殆どの領域が二重構造となって充分な強度を有している。もちろん右側板部５０、左側板部６０および後板部３０側は、開梱前の状態と同じであり、充分な強度を有している。
【０１２１】
＜梱包箱の積重ね等ついて＞
例えば２つの梱包箱１Ａを積重ねる場合には、図１３に示すように、上側の梱包箱１Ａが有する底板前側積重ね部１１０の２つの積重ね爪１１０ｔが下側の梱包箱１Ａが有する天板前側積重ね部４１０の２とスリットに係合するように、そして上側の梱包箱１Ａが有する底板後側積重ね部１２０の２つの積重ね爪１２０ｔが下側の梱包箱１Ａが有する天板後側積重ね部４２０の２とスリットに係合するように、２つの梱包箱１Ａを積重ねる。
【０１２２】
そうすると下側の梱包箱１Ａの天板部４０の全領域に、上側の梱包箱１Ａの底板部１０の全領域が重なるようにして、２つの梱包箱１Ａを積重ねることができる（図１４）。３つ以上の梱包箱１Ａを積重ねる場合も同様であり、梱包箱１Ａは複数の梱包箱１Ａを最少の床スペースに、容易、且つ整然と積重ねることができる。
【０１２３】
ここで梱包箱１Ａの前板部２０側は、前板部２０、および連結した右前方フラップ５１と左前方フラップ６１とで構成され、しかも右前方フラップ５１は右側板部５０と連接し、また左前方フラップ６１は左側板部６０と連接している。したがって前板部２０側は十分な強度を有している。後板部３０も同様である。
【０１２４】
右側板部５０側では、右側板部５０が右前方フラップ５１および右後方フラップ５２とともに前板部２０と後板部３０との間に介在している。しかも右前方フラップ５１および右後方フラップ５２は、右側板部５０に対し直角に折り曲げられて底板部１０と天板部４０と間に介在している。左側板部６０側も同様である。したがって右側板部５０および左側板部６０は、前板部２０と後板部３０との間において、梱包箱１Ａの強度を実現する。
【０１２５】
また梱包箱１Ａでは、底板部１０、前板部２０、後板部３０、第１天板部４１および第２天板部４２はすべて連接しており、しかも第２天板部４２は有底箱体３Ｂの開口部を塞ぎ、その第２天板部４２の表面の略二分の一は第２天板部４２と連結した第１天板部４１で覆われている。しかも梱包箱１Ａでは、天板部４０は、第１天板部４１および第２天板部４２で構成され、一部が二重構造となっており凹みにくい。
【０１２６】
さらに梱包箱１Ａは一枚構成の底板部１０を有し、底板部１０は、前板部２０、後板部３０、右側板部５０および左側板部６０と切れ目なく連接している。したがって梱包箱１Ａの底板部１０は充分な強度を有する（底板部１０は抜けにくい。）。
【０１２７】
２つの梱包箱１Ａを横並びにする場合には、例えば図１５に示すように、一方の梱包箱１Ａの右側板部５０の全領域と、他方の梱包箱１Ａの左側板部６０の全領域とが接するように並べる。ここで右側板部５０の２つの右側部通気孔５０５と左側板部６０の２つの左側部通気孔６０５とは正対しているので、一方の梱包箱１Ａの右側板部５０の２つの右側部通気孔５０５と、他方の梱包箱１Ａの左側板部６０の２つの左側部通気孔６０５とは、互いにずれることなく連通する状態となる。３つ以上の梱包箱１Ａを横並びにする場合も同様である。
【０１２８】
２つの梱包箱１Ａを縦並びにする場合には、例えば図１６に示すように、一方の梱包箱１Ａの後板部３０の全領域と、他方の梱包箱１Ａの前板部２０の全領域とが接するように並べる。
【０１２９】
ブランク２Ａにおいて、例えば前板部２０が有する２つの前部通気孔２０５と、後板部３０が有する２つの後部通気孔３０５とが、底板部１０を挟んで対称に形成されていれば、一方の梱包箱１Ａの後板部３０の２つの後部通気孔３０５と、他方の梱包箱１Ａの前板部２０の２つの前部通気孔２０５とは、互いにずれることなく連通する状態となる。すなわち縦並びにした場合でも、梱包箱１Ａは良好な通気性を有する。
【０１３０】
梱包箱１Ａは上述の通り、積重ねた場合、横並びにした場合、縦並びにした場合の何れにおいても良好な通気性を確保できるから、縦横並びにしたうえでさらに積重ねた場合でも、良好な通気性を確保できる。
【０１３１】
以上、本発明に係る梱包箱の一実施例について説明したが、本発明は、その趣旨を変更することなく適宜変形して実施することができる。
【産業上の利用可能性】
【０１３２】
本発明に係る梱包箱は、工業的に製造等することができるから、商品等の運搬および保管等に使用することができるから、そして商取引の対象とすることができるから、本発明は経済的価値を有して産業上の利用可能性を有する発明である。
【符号の説明】
【０１３３】
１Ａ  梱包箱
２Ａ  ブランク
１０  底板部
２０  前板部
２０１  右前方側部係止舌片（右前方側部連結手段）
２０２  左前方側部係止舌片（左前方側部連結手段）
２０５  前部通気孔（通気孔）
３０  後板部
３０３  右後方側部係止舌片（右後方側部連結手段）
３０４  左後方側部係止舌片（左後方側部連結手段）
３０５  後部通気孔（通気孔）
４０  天板部
４１  第１天板部
４２  第２天板部
４１１  天板係止爪（天板部連結手段）
４２１  天板係止スリット（天板部連結手段）
５０  右側板部
５１  右前方フラップ
５２  右後方フラップ
５０１  右前方側部係止孔（右前方側部連結手段）
５０３  右後方側部係止孔（右後方側部連結手段）
５０５  右側部通気孔（通気孔）
５１１  前方係止孔（前方フラップ連結手段）
５２１  後方係止孔（後方フラップ連結手段）
６０  左側板部
６１  左前方フラップ
６２  左後方フラップ
６０２  左前方側部係止孔（左前方側部連結手段）
６０４  左後方側部係止孔（左後方側部連結手段）
６０５  左側部通気孔（通気孔）
６１１  前方係止舌片（前方フラップ連結手段）
６２１  後方係止舌片（後方フラップ連結手段）
【要約】      （修正有）【課題】ブランクの折り曲げだけで形成でき通気性に優れ物品等の収容および開梱が容易な梱包箱を実現する。【解決手段】底板部１０、前板部２０、後板部３０、右側板部５０、左側板部６０、右前方フラップ５１、右後方フラップ５２、左前方フラップ６１、左後方フラップ６２、前板部を介して底板部と連接する第１天板部４１、後板部を介して底板部連接する第２天板部４２、右前方及び左前方フラップを連結する前方フラップ連結手段、右後方及び左後方フラップを連結する後方フラップ連結手段、前板部、右側板部、左側板部を連結する前方側部連結手段、後板部、右側板部、左側板部を連結する後方側部連結手段、第１天板部と第２天板部を連結する天板部連結手段、右側板部、左側板部、前板部、後板部の全て又は何れかに設けられた通気孔有するブランク２Ａを折り曲げて形成される梱包箱。【選択図】図１【図１】
0005878609.tif 000002
【図２】
0005878609.tif 000003
【図３】
0005878609.tif 000004
【図４】
0005878609.tif 000005
【図５】
0005878609.tif 000006
【図６】
0005878609.tif 000007
【図７】
0005878609.tif 000008
【図８】
0005878609.tif 000009
【図９】
0005878609.tif 000010
【図１０】
0005878609.tif 000011
【図１１】
0005878609.tif 000012
【図１２】
0005878609.tif 000013
【図１３】
0005878609.tif 000014
【図１４】
0005878609.tif 000015
【図１５】
0005878609.tif 000016
【図１６】
0005878609.tif 000017